(57)【要約】【課題】ユーザが物体のいかなる部分を取り扱う場合にも、当該部分に関する説明情報を直接的に視認しつつ作業を行うことができるようにする技術を提供することを目的とする。【解決手段】情報表示装置は、入力された信号から特定される説明情報と該説明情報に対応付けられた識別子とを記憶手段から読み出し、読み出された識別子に基づいて、読み出された説明情報を送信すべきか否かを判定し、送信すべきと判定した場合には、該説明情報を予め定められた携帯表示端末へ送信し、送信すべきでないと判定した場合には、該説明情報を表示手段に表示させる。【選択図】        図１
2004318271.tif 000002
【特許請求の範囲】
【請求項１】
表示手段と、
送信手段と、
信号を入力する入力手段と、
説明情報と該説明情報に対応付けられた識別子とが記憶された記憶手段から、前記入力手段により入力された信号から特定される説明情報と該説明情報に対応付けられた識別子とを読み出す読み出し手段と、
前記読み出し手段により読み出された識別子に基づいて、前記読み出し手段により読み出された説明情報を送信すべきか否かを判定し、送信すべきと判定した場合には、該説明情報を予め定められた携帯表示端末へ送信し、送信すべきでないと判定した場合には、該説明情報を前記表示手段に表示させる制御手段と
を有することを特徴とする情報表示装置。
【請求項２】
前記制御手段により前記説明情報を送信すべきと判定された場合に、該説明情報を前記携帯表示端末へ送信する指示を入力することをユーザに促す確認手段を有し、
前記制御手段は、前記確認手段により前記指示の入力が促された結果当該指示を示す信号が前記入力手段により入力された場合には、前記説明情報を前記携帯表示端末へ送信し、当該指示を示す信号が前記入力手段により入力されない場合には、前記説明情報を前記表示手段に表示させる
ことを特徴とする請求項１に記載の情報表示装置。
【請求項３】
コンピュータを、
入力された信号から特定される説明情報と該説明情報に対応付けられた識別子とを記憶手段から読み出す読み出し手段、
前記読み出し手段にて読み出された識別子に基づいて、前記読み出し手段にて読み出された説明情報を送信すべきか否かを判定し、送信すべきと判定した場合には、該説明情報を予め定められた携帯表示端末へ送信し、送信すべきでないと判定した場合には、該説明情報を表示手段に表示させる制御手段
として機能させるためのプログラム。
【発明の詳細な説明】
【０００１】
【発明の属する技術分野】
本発明は、車両や建物などの物体の扱い方を情報の表示により知らせる技術に関する。
【０００２】
【従来の技術】
物体の扱い方を情報の表示により知らせる技術として、電子化された取扱説明書を使う技術がある。電子化された取扱説明書の中には、車両各部の機能や取扱いの説明を表すものがある。このような車両に係る取扱いの説明を表す取扱説明情報を保存させるコンピュータ装置として適切なものに、車両に搭載される車載装置が挙げられる。例えば、特許文献１には、車載装置に車両に係る取扱いの説明を表す取扱説明情報を記憶させ、この取扱説明情報をユーザの要求に応じて表示させる技術が示されている。具体的には、車内に設けられた表示装置１０（車載装置）に、例えば、車両の始業点検、タイヤチェーンの着脱、タイヤ交換等の作業の手順を表す情報（取扱説明情報）を表示させる技術が記載されている。この技術によれば、ユーザは、取扱説明情報を必要に応じて参照することができ、車両の始業点検、タイヤチェーンの着脱、タイヤ交換等の作業の手順を容易に把握することができる。
【０００３】
【特許文献１】
特許第２５８７８３１号公報
【０００４】
【発明が解決しようとする課題】
しかし、この技術によっても更に以下のような問題が生じる。それは、上述のような作業が行われる場所と、取扱説明情報が表示される場所とが異なることに起因する。上述の作業では、ユーザの主な作業場所は車外となるが、取扱説明情報が表示される場所は車内である。よって、ユーザは、車外の作業で不明な点が生じる度に、車内に戻って取扱説明情報を参照し、再び車外に出る、という行動をとらねばならない。これは、不便である。
【０００５】
そこで、本発明は、上述の問題点を鑑みなされたもので、ユーザが物体のいかなる部分を取り扱う場合にも、当該部分に関する説明情報を直接的に視認しつつ作業を行うことができるようにする技術を提供することを目的とする。
【０００６】
【課題を解決するための手段】
上記課題を解決するために、本発明は、表示手段と、送信手段と、信号を入力する入力手段と、説明情報と該説明情報に対応付けられた識別子とが記憶された記憶手段から、前記入力手段により入力された信号から特定される説明情報と該説明情報に対応付けられた識別子とを読み出す読み出し手段と、前記読み出し手段により読み出された識別子に基づいて、前記読み出し手段により読み出された説明情報を送信すべきか否かを判定し、送信すべきと判定した場合には、該説明情報を予め定められた携帯表示端末へ送信し、送信すべきでないと判定した場合には、該説明情報を前記表示手段に表示させる制御手段とを有することを特徴とする情報表示装置を提供する。
【０００７】
また、本発明は、コンピュータを、入力された信号から特定される説明情報と該説明情報に対応付けられた識別子とを記憶手段から読み出す読み出し手段、前記読み出し手段にて読み出された識別子に基づいて、前記読み出し手段にて読み出された説明情報を送信すべきか否かを判定し、送信すべきと判定した場合には、該説明情報を予め定められた携帯表示端末へ送信し、送信すべきでないと判定した場合には、該説明情報を表示手段に表示させる制御手段として機能させるためのプログラムを提供する。
【０００８】
本発明によれば、入力された信号から特定される説明情報に対応付けられた識別子に基づいて、当該説明情報を送信すべきか否かが判定される。この判定結果が肯定的であれば当該説明情報が予め定められた携帯表示端末へ送信され、否定的であれば当該説明情報が表示手段により表示される。
【０００９】
【発明の実施の形態】
以下、図面を参照して、本発明の実施形態について説明する。なお、各図において共通する部分には、同一の符号が付されている。
（１．構成）
＜通信システム１の構成＞
図１は、本実施形態に係る通信システム１の構成を示すブロック図である。
車載装置１０は、ユーザの乗車する車両に搭載される。車載装置１０は、近距離無線通信路を介して携帯電話機２０と通信を行う。以下、車載装置１０と携帯電話機２０との構成についてそれぞれ説明する。
【００１０】
＜車載装置１０の構成＞
車載装置１０は、一般的なコンピュータと同様の構成を有している。そのため、以下では、車載装置１０の本発明に係る構成のみについて、図２を参照して説明する。
近距離無線通信部１０４は、図示しないアンテナを備え、携帯電話機２０との間で行われる近距離無線通信を制御する。近距離無線通信とは、例えば赤外線やＦＭ（Ｆｒｅｑｕｅｎｃｙ  Ｍｏｄｕｌａｔｉｏｎ）波を用いて行われる数ｍ程度の距離内での通信のことである。
【００１１】
ＨＤ（Ｈａｒｄ  Ｄｉｓｋ）１０９には、取扱説明テーブル１０９ａが記憶されている。取扱説明テーブル１０９ａには、図３に示されるように、取扱説明データと、取扱説明名データと、表示フラグとが対応付けられて格納されている。取扱説明データは、車両の各部の機能や取扱い、車両に係る作業の内容や手順などの、車両に係る取扱いの説明（以下、取扱説明という）を表すデータであり、具体的には、取扱説明に係る画像や文章を表す。車両に係る取扱いの説明とは、例えば、エンジン冷却水の点検作業の内容や手順を示すものや、タイヤの交換に係る作業手順を示すものや、タイヤチェーンの着脱に係る作業手順を示すもの、車両内に備わる空調装置の設定方法を示すものである。
取扱説明名データは、取扱説明データが表す取扱説明を識別するためのデータであり、取扱説明の内容を端的に示す名称（以下、取扱説明名称という）を表す。
表示フラグは、取扱説明データによって表される取扱説明が、ユーザが車載装置１０の液晶表示部１０５を見ながら行うことが困難である取扱いに関するものであるか否か、即ち、当該取扱説明データを携帯電話機２０に送信すべきであるか否か、を識別するためのフラグである。本実施形態においては、車外での取扱いや作業に関する取扱説明を表す取扱説明データを携帯電話機２０に送信すべきであるとし、当該取扱説明データに表示フラグ‘１’を対応付ける。車内での取扱いや作業に関する取扱説明を表す取扱説明データを携帯電話機２０に送信すべきでないとし、当該取扱説明データに表示フラグ‘０’を対応付ける。具体的には、表示フラグ‘１’が対応付けられている取扱説明データには、例えば、エンジン冷却水の点検の作業の内容や手順を示すものや、タイヤの交換に係る作業手順を示すものや、タイヤチェーンの着脱に係る作業手順を示すものがある。また、表示フラグ‘０’が対応付けられている取扱説明データには、例えば、空調装置の設定方法を示すものがある。
なお、取扱説明データに対する表示フラグの値は、当該取扱説明データを作成した業者によって、車外での取扱いや作業に関するものであるか否かが検討された結果設定されたものとする。また、車内での取扱いや作業に関しても、ユーザが車載装置１０の液晶表示部１０５を見ながら行うことが困難であるものについては、当該取扱いや作業に係る取扱説明を表す取扱説明データを携帯電話機２０に送信すべきであるとし、当該取扱説明を表す取扱説明データに表示フラグ‘１’を対応付けるようにしても良い。
【００１２】
ＨＤ１０９には、更に、ＣＰＵ１００によって実行されることにより車載装置１０に以下の機能を実現させるための取扱説明表示プログラムが記憶されている。
車載装置１０は、ユーザからの指示により、ＨＤ１０９に記憶されている取扱説明データを読み出し、当該データに示される取扱説明を示す画像や文章を液晶表示部１０５に表示させる。更に、当該取扱説明データに表示フラグ‘１’が対応付けられている場合には、当該取扱説明データを携帯電話機２０へ送信する指示を入力するよう促すユーザインターフェースをユーザに提供する。当該取扱説明データを携帯電話機２０へ送信する指示がユーザによって入力されると、車載装置１０は、携帯電話機２０と近距離通信可能であるとき、当該携帯電話機２０に対して、当該取扱説明データと当該取扱説明データに対応付けられた取扱説明名データとを送信する。
【００１３】
＜携帯電話機２０の構成＞
携帯電話機２０は、一般的な携帯電話機と同様の構成を有している。更に、携帯電話機２０は、車載装置１０と近距離無線通信を行う機能を有し、以下の機能を有している。
携帯電話機２０は、携帯電話機２０と車載装置１０とが近距離無線通信可能であるとき、車載装置１０から送信された取扱説明データを受信し、当該データに表される取扱説明に係る画像や文章を表示する。
【００１４】
（２．動作）
次に、本実施形態に係る動作について説明する。図４は、本実施形態に係る車載装置１０の動作の流れを示すフローチャートである。
ユーザが車載装置１０の操作入力部１０２を操作して、取扱説明を表示させる指示を入力すると、ＣＰＵ１００は、図５に示されるように、ＨＤ１０９に記憶されている取扱説明データに対応付けられている取扱説明名データに示される取扱説明名称を液晶表示部１０５に表示させる（ステップＳ１０）。そして、ユーザにより所望される取扱説明名称が選択されると（ステップＳ１１）、ＣＰＵ１００は、選択された取扱説明名称を示す取扱説明名データに対応する取扱説明データをＨＤ１０９から読み出すとともに、当該取扱説明データに対応付けられた表示フラグを読み出す（ステップＳ１２）。次いで、読み出した表示フラグが‘１’であるか否かを判別する（ステップＳ１３）。ここでは、エンジン冷却水の点検が選択されたとする。この取扱説明データに対応付けられている表示フラグは‘１’であるとする。すると、ステップＳ１３における判別結果が肯定的となり、ＣＰＵ１００は、読み出した取扱説明データによって表される取扱説明に係る画像や文章を液晶表示部１０５に表示させる（ステップＳ１４）とともに、携帯電話機２０へ当該取扱説明データを送信させる指示の入力を促すユーザインターフェイスをユーザに提供する（ステップＳ１５）。例えば、図６に示されるような画面を表示させる。ここで、ユーザが携帯電話機２０を車載装置１０に近づけて、携帯電話機２０と車載装置１０との間の近距離無線通信が可能である状態にさせた後、車載装置１０の操作入力部１０２を操作して、携帯電話機２０へ当該取扱説明データを送信させる指示を入力すると（ステップＳ１６：ＹＥＳ）、車載装置１０のＣＰＵ１００は、当該取扱説明データと当該取扱説明データに対応付けられた取扱説明名データとを近距離無線通信部１０４を介して携帯電話機２０へ送信する（ステップＳ１７）。
一方、携帯電話機２０は、車載装置１０から送信された取扱説明データと取扱説明名データとを受信すると、これらのデータを対応付けて記憶し、当該取扱説明名データに示される名称と、当該取扱説明データによって表される取扱説明に係る画像や文章とを表示する。例えば、図７に示されるような画面が表示される。この結果、ユーザは、携帯電話機２０に表示される取扱説明を参照しながら、車外においてエンジン冷却水の点検作業を行うことができる。
【００１５】
なお、ステップＳ１３における判別結果が否定的である場合には、ＣＰＵ１００は、ステップＳ１２で読み出した取扱説明データによって表される取扱説明に係る画像や文章を液晶表示部１０５に表示させる。しかし、携帯電話機２０へ当該取扱説明データを送信させる指示の入力を促すユーザインターフェイスをユーザに提供しない。
【００１６】
以上のようにして、携帯電話機２０に送信すべきか否かが判定され、送信すべきと判定された取扱説明データが自動的に選択され携帯電話機２０に送信されることにより、ユーザは、携帯電話機２０に表示される取扱説明を参照しながら、車外で作業を行ったり、車外で車両の取扱いを行ったりすることができる。
更に、車外での取扱いや作業に関する取扱説明を表す取扱説明データであっても、当該取扱説明データを携帯電話機２０へ送信させる指示が入力されなければ、当該取扱説明データが携帯電話機２０へ送信されることはないため、ユーザに所望される場合にのみ当該取扱説明に係る画像や文章を携帯電話機２０に表示させることが可能となる。
【００１７】
（３）変形例
以上この発明の一実施形態について説明したが、上記実施形態はあくまでも例示であり、上記実施形態に対しては、本発明の趣旨から逸脱しない範囲で様々な変形を加えることができる。変形例としては、例えば以下のようなものが考えられる。
【００１８】
＜変形例１＞上述の実施形態においては、車載装置１０は、表示フラグ‘１’が対応付けられた取扱説明データについて、携帯電話機２０に送信するようユーザから指示された場合に、当該取扱い説明データを携帯電話機２０に送信するようにした。しかし、車載装置１０は、ユーザからの指示なくして、当該取扱説明データを、当該車載装置１０と近距離通信可能な携帯電話機２０に対して送信するように構成しても良い。
例えば、ユーザが車両のエンジンを始動させ、車載装置１０の電源を投入させると、車載装置１０は、車両の始業点検に係る取扱説明データを携帯電話機２０へ自動的に送信するようにする。なお、このような構成では、取扱説明データに、車両の始業点検に係るデータであるかを識別するためのフラグを更に対応付ければ良い。
以上のような構成によれば、ユーザが車両の運転を開始する都度励行される始業点検を行う場合、いちいち指示入力を行わずとも、始業点検に係る情報が携帯電話機２０が表示されるため、ユーザは、スムーズに車外での始業点検を行うことができる。
【００１９】
＜変形例２＞また、表示フラグ‘１’が対応付けられた取扱説明データについては、液晶表示部１０５に表示させない構成であっても良い。即ち、表示フラグ‘１’が対応付けられた取扱説明データについては、携帯電話機２０のみに表示させる構成とし、表示フラグ‘０’が対応付けられた取扱説明データについては、車載装置１０のみに表示させる構成としても良い。
【００２０】
＜変形例３＞上述の実施形態においては、車載装置１０が取扱説明データを送信した相手は、特定の携帯電話機２０ではなく、当該車載装置１０と近距離通信可能な携帯電話機２０とした。しかし、車載装置１０は、特定の携帯電話機２０に対してのみ取扱説明データを送信するようにしても良い。具体的には、車載装置１０のＨＤ１０９に、特定の携帯電話機２０を識別するための識別情報（電話番号や端末識別ＩＤなどの情報）を登録しておく。そして、上述のステップＳ１７において、車載装置１０が該当する取扱説明データを携帯電話機２０に送信する際に、まず、送信相手の携帯電話機２０に対して識別情報を要求するメッセージを送信する。そして、この要求に応じた携帯電話機２０から送信された識別情報と、ＨＤ１０９に登録されている識別情報とが一致するか否かを判別する。この判別結果が肯定的である場合にのみ、車載装置１０は、送信相手の携帯電話機２０に当該取扱説明データを送信する。
このような構成によれば、車載装置１０に記憶された取扱説明データが携帯電話機２０にむやみに転送されることを防ぐことができる。
【００２１】
＜変形例４＞携帯電話機２０は、上述のようにして車載装置１０から受信した取扱説明データと取扱説明名データとを、例えば、自機の電源を切る指示がユーザにより入力された場合に、削除する構成であっても良い。また、削除する際には、ユーザに許可を求める旨のメッセージを表示し、このメッセージに応答して削除する指示が入力された場合にのみ、削除するようにしても良い。なお、データを削除するいうことは、当該データを記憶していたメモリの記憶領域を開放し、当該データを読み出すことを不可能とし、当該記憶領域を新たなデータ記憶のために使用可能とすることを意味する。
このような構成によれば、取扱説明データを一時的にのみ利用したいユーザにとっては、携帯電話機２０のメモリ資源が無駄に消費されず、使い勝手が良くなる。
【００２２】
＜変形例５＞車載装置１０は、携帯電話機２０に取扱説明データを送信する際に、取扱説明データに当該取扱説明データの保持期間を示す保持期間データを付加してこれらのデータを送信するようにしても良い。具体的には、該当する取扱説明データを携帯電話機２０に送信する指示が入力されると、車載装置１０のＣＰＵ１００は、保持期間データを生成する。この保持期間データに示される保持期間は、例えば、ＣＰＵ１００が当該保持期間データを生成した現在時刻から、予め定められた時間分（例えば、１時間、１日）だけ先の日時に設定すればよい。ＣＰＵ１００は、このような保持期間データを当該取扱説明データに対して付加して、携帯電話機２０に送信する。
一方、携帯電話機２０は、保持期間データが付加された取扱説明データを受信すると、これらのデータを記憶し、取扱説明データに表される取扱説明に係る画像や文章を表示する。そして、当該取扱説明データに付加された保持期間データに示される保持期間が経過した場合には、当該取扱説明データを保持期間データとともに削除する。
【００２３】
＜変形例６＞車載装置１０と携帯電話機２０との間の通信は、図示しない接続ケーブルを介して行うような構成にしても良い。
また、上述の各実施形態において、携帯表示端末として、携帯電話機を用いたが、電話機能を備えない携帯可能な表示端末を用いても良い。
【００２４】
＜変形例７＞車載装置１０は、更に、ＣＤ（Ｃｏｍａｃｔ  Ｄｉｓｃ）やＤＶＤ（Ｄｉｇｉｔａｌ  Ｖｅｒｓａｔｉｌｅ  Ｄｉｓｋ）などの記憶媒体に記憶されたデータを読み出すドライブ装置を備える構成であっても良い。そして、上述の取扱説明テーブル１０９ａを記憶した記憶媒体から当該ドライブ装置を介して取扱説明テーブル１０９ａを取得しこれをＨＤ１０９に記憶させる構成であっても良い。又は、車載装置１０が無線ＬＡＮ（Ｌｏｃａｌ  Ａｒｅａ  Ｎｅｔｗｏｒｋ）を介して通信装置と通信を行う機能を有し、取扱説明テーブル１０９ａを記憶している通信装置から取扱説明テーブル１０９ａを取得するという構成であっても良い。
このような構成によれば、例えば、車載装置１０が車両に着脱自在に取り付けられる場合、車載装置１０が今まで取り付けられていた車両が他の車両に変更になっても、当該車載装置１０に記憶されている取扱説明テーブル１０９ａのデータを他の車両に係るデータに更新することが可能となる。
【００２５】
また、取扱説明表示プログラムを、車載装置１０のＨＤ１０９に予め記憶させるのではなく、ＣＤ（Ｃｏｍａｃｔ  Ｄｉｓｃ）やＤＶＤ（Ｄｉｇｉｔａｌ  Ｖｅｒｓａｔｉｌｅ  Ｄｉｓｋ）などの記憶媒体に記憶させ、この記憶媒体を介して取得してＨＤ１０９に記憶させる構成であっても良い。また、このプログラムを実行させる都度、このプログラムを記憶した記憶媒体からこのプログラムを読み出し実行するような構成であっても良い。また、コンテンツサーバがこのプログラムを記憶し、携帯電話機２０はこのコンテンツサーバからインターネットなどの通信網を介してこのプログラムを取得し、車載装置１０はこのプログラムを携帯電話機２０を介して取得するという構成であっても良い。
【００２６】
＜変形例８＞上述の実施形態においては、説明情報として、車両に係る取扱説明を表す取扱説明情報を用いた。しかし、例えば、住宅の各設備の取り扱い方の説明を表す取扱説明情報を用いても良い。このような取扱説明情報を用いる場合、例えば、以下のような構成の通信システムが考えられる。この通信システムには、近距離無線通信機能を有するコンピュータ装置と、当該コンピュータ装置と近距離通信可能な携帯表示端末とが備えられる。このコンピュータ装置に、住宅の各設備の取り扱い方の説明を表す取扱説明情報を記憶させる。住宅の各設備の取り扱い方の説明には、例えば、住宅の間取りについての説明や、食器洗浄機や、シャワーなどの取扱い方の説明が含まれる。
なお、このコンピュータ装置が設置される場所としては、リビングや書斎などの住宅内の様々な場所が考えられる。従って、本変形例では、このコンピュータ装置の設置場所をユーザがこのコンピュータ装置に登録し、登録された設置場所を例えば設置場所フラグとしてコンピュータ装置に記憶させる。例えば、設置場所がリビングであれば設置場所フラグ‘１’とし、キッチンなら設置場所フラグ‘２’とし、浴室なら設置場所フラグ‘３’とする。そして、上述の各取扱説明情報にも、この設置場所フラグを対応付ける。例えば、食器洗浄機の取扱説明を表す取扱説明情報には設置場所フラグ‘２’を対応付け、シャワーの取扱説明を表す取扱説明情報には設置場所フラグ‘３’を対応付ける。このような構成において、コンピュータ装置は、その表示が指示された取扱説明情報を携帯表示端末に送信すべきか否かを、登録されたコンピュータ装置の設置場所を表す設置場所フラグの値と、当該取扱説明情報に対応付けられている設置場所フラグの値とが一致しないか否かによって判別する。例えば、コンピュータ装置の設置場所を表す設置場所フラグの値が‘１’である場合に、シャワーの取扱説明を表す取扱説明情報の表示が指示されたとする。この取扱説明情報には、設置場所フラグ‘３’が対応付けられている。これらの設置場所フラグの値は一致しないため、コンピュータ装置は、当該取扱説明情報を携帯表示端末に送信すべきであると判定する。
【００２７】
また、物体の各部の取扱い方の説明を表す取扱説明情報の他の例としては、パーソナルコンピュータの取扱い方の説明を表す取扱説明情報がある。この取扱い方のうち、例えば、当該パーソナルコンピュータのディスプレイの裏面に関する取扱いや、当該パーソナルコンピュータ本体の裏側にある入出力端子の取扱いは、ユーザが当該パーソナルコンピュータのディスプレイの表示を見ながら行うことが困難であるため、これらの各取扱いを表す説明は携帯表示端末に表示すべきであるとする。これらの説明を表す取扱説明情報に表示フラグ‘１’を対応付ければ良い。
【００２８】
【発明の効果】
以上説明したように、本発明では、説明情報を携帯表示端末へ送信するか否かは識別子に基づいて定まる。したがって、情報表示装置またはコンピュータが車両等の物体に固定して設置される場合に、情報表示装置またはコンピュータの表示画面を直接的に視認可能な位置に居たのでは取り扱うことが困難な各部（例えば、車両にあってはタイヤやマフラー等）の取り扱いに関する説明情報については携帯表示端末へ送信されるように識別子を対応付け、他の各部の取り扱いに関する説明情報については携帯表示端末へ送信されないように識別子を対応付けておけば、ユーザは、物体のいかなる部分を取り扱う場合にも、情報表示装置、コンピュータまたは携帯表示端末に表示された説明情報を直接的に視認しつつ作業を行うことができる。
【図面の簡単な説明】
【図１】本発明の一実施形態に係る通信システム１の構成を示すブロック図である。
【図２】同実施形態に係る車載装置１０の構成を示すブロック図である。
【図３】同実施形態に係る取扱説明テーブル１０９ａのデータ構成を概念的に示す図である。
【図４】同実施形態に係る車載装置１０の動作の流れを示すフローチャートである。
【図５】同実施形態に係る画面の表示例を示す図である。
【図６】同実施形態に係る画面の表示例を示す図である。
【図７】同実施形態に係る画面の表示例を示す図である。
【符号の説明】
１・・・通信システム、１０・・・車載装置、２０・・・携帯電話機、１０２・・・操作入力部、１０４・・・近距離無線通信部、１０５・・・液晶表示部、１０９・・・ＨＤ、１０９ａ・・・取扱説明テーブル。
【図１】
2004318271.tif 000003
【図２】
2004318271.tif 000004
【図３】
2004318271.tif 000005
【図４】
2004318271.tif 000006
【図５】
2004318271.tif 000007
【図６】
2004318271.tif 000008
【図７】
2004318271.tif 000009